(57)【要約】【課題】  新たな規格または他の規格のディスクが、既存のドライブシステムに入ってもディスクを再初期化しうる光記録情報保存媒体、記録／再生方法、記録／再生装置及びホスト装置を提供する。【解決手段】  リードイン領域、データ領域、リードアウト領域が設けられ、リードイン領域は、データ領域に発生した欠陥を管理するための欠陥管理領域と、媒体の挿し込まれる記録／再生装置が認識可能な機能に関するアクセス制御データ及び認識不可能な機能に関するアクセス制御データが記録されるアクセス制御領域とを含む。欠陥管理領域に記録された記録防止フラグ情報と、アクセス制御領域に記録されたアクセス制御データが媒体の再初期化可能如何の確認のための情報とを提供する。【選択図】      図１０ 
2005322392.tif 000002
【特許請求の範囲】
【請求項１】
光記録情報保存媒体において、
前記媒体は、リードイン領域、データ領域、リードアウト領域が設けられ、前記リードイン領域は、前記データ領域に発生した欠陥を管理するための欠陥管理領域と、  前記媒体の挿し込まれる記録／再生装置が、認識可能な機能に関するアクセス制御データ及び認識不可能な機能に関するアクセス制御データが記録されるアクセス制御領域とを含み、
前記欠陥管理領域に記録された記録防止フラグ情報と、前記アクセス制御領域に記録されたアクセス制御データとが、前記媒体の再初期化可能如何の確認のための情報を提供することを特徴とする光記録情報保存媒体。
【請求項２】
前記認識可能な機能に関するアクセス制御データ及び前記認識不可能な機能に関するアクセス制御データは、認識可能な機能及び認識不可能な機能に共通的に適用される共通情報を含み、
前記共通情報は、前記機能を識別するためのアクセス制御データ識別子と、前記媒体のフォーマット可能如何を表す情報と、前記欠陥管理領域の記録／再生可能如何を表す情報と、前記データ領域の記録／再生可能如何を表す情報とを含むことを特徴とする請求項１に記載の光記録情報保存媒体。
【請求項３】
前記媒体が含まれているカートリッジに設けられた記録防止ホールの開閉如何が、前記媒体の再初期化可能如何の確認のための情報をさらに提供することを特徴とする請求項２に記載の光記録情報保存媒体。
【請求項４】
前記再初期化可能如何の確認のための情報の優先順位は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に優先順位が低くなることを特徴とする請求項３に記載の光記録情報保存媒体。
【請求項５】
前記認識可能な機能に関するアクセス制御データは、前記共通情報以外に前記媒体の再初期化に関する情報をさらに含み、
前記再初期化に関する情報が、前記媒体の再初期化可能如何の確認のための情報をさらに提供することを特徴とする請求項３に記載の光記録情報保存媒体。
【請求項６】
前記再初期化可能如何の確認のための情報の優先順位は、前記再初期化可能如何の確認のための情報の優先順位は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報、前記認識可能な機能に関するアクセス制御データに含まれた再初期化に関する情報の順序に優先順位が低くなることを特徴とする請求項５に記載の光記録情報保存媒体。
【請求項７】
光記録情報保存媒体において、
前記媒体は、リードイン領域、データ領域、リードアウト領域が設けられ、前記リードイン領域は、前記データ領域に発生した欠陥を管理するための欠陥管理領域と、前記媒体の挿し込まれる記録／再生装置が、認識可能な機能に関するアクセス制御データ及び認識不可能な機能に関するアクセス制御データが記録されるアクセス制御領域を含み、
前記媒体が含まれているカートリッジに設けられた記録防止ホールの開閉如何、
前記欠陥管理領域に記録された記録防止フラグ情報、
前記認識不可能な機能に関するアクセス制御データに含まれた前記媒体のフォーマット可能如何を表す情報、
前記認識不可能な機能に関するアクセス制御データに含まれた前記欠陥管理領域またはデータ領域の記録／再生可能如何を表す情報、
前記認識可能な機能に関するアクセス制御データに含まれた前記媒体のフォーマット可能如何を表す情報、
前記認識可能な機能に関するアクセス制御データに含まれた前記欠陥管理領域または前記データ領域の記録／再生可能如何を表す情報のうち、少なくとも一つ以上が前記媒体の再初期化可能如何の確認のための情報を提供することを特徴とする光記録情報保存媒体。
【請求項８】
リードイン領域、データ領域、リードアウト領域が設けられた光記録情報保存媒体に／からデータを記録／再生する記録／再生方法において、
前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する段階と、
前記再生された記録防止フラグ情報及びアクセス制御データに基づいて、前記媒体を再初期化を決定する段階とを含むことを特徴とする記録／再生方法。
【請求項９】
前記認識可能な機能に関するアクセス制御データ及び前記認識不可能な機能に関するアクセス制御データは、認識可能な機能及び認識不可能な機能に共通的に適用される共通情報を含み、
前記共通情報は、前記機能を識別するためのアクセス制御データ識別子と、前記媒体のフォーマット可能如何を表す情報と、前記欠陥管理領域の記録／再生可能如何を表す情報と、前記データ領域の記録／再生可能如何を表す情報のうち、少なくとも一つ以上を含むことを特徴とする請求項８に記載の記録／再生方法。
【請求項１０】
前記再初期化決定段階は、 
前記媒体が含まれているカートリッジに設けられた記録防止ホールの開閉如何に関する情報にも基づいて再初期化を決定することを特徴とする請求項９に記載の記録／再生方法。
【請求項１１】
前記再初期化決定段階は、
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に優先順位をおいて、前記再初期化を決定することを特徴とする請求項１０に記載の記録／再生方法。
【請求項１２】
前記認識可能な機能に関するアクセス制御データは、前記共通情報以外に前記媒体の再初期化に関する情報をさらに含み、
前記再初期化決定段階は、
前記再初期化に関する情報にも基づいて、前記再初期化を決定することを特徴とする請求項１０に記載の記録／再生方法。
【請求項１３】
前記再初期化決定段階は、
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報、前記認識可能な機能に関するアクセス制御データに含まれた再初期化に関する情報の順序に優先順位をおいて、前記再初期化を決定することを特徴とする請求項１２に記載の記録／再生方法。
【請求項１４】
前記媒体を再初期化すると決定した場合に、前記欠陥管理領域に記録されたデータ及び前記データ領域に記録されたファイルシステムデータを削除することによって、前記媒体を再初期化する段階をさらに含むことを特徴とする請求項８に記載の記録／再生方法。
【請求項１５】
リードイン領域、データ領域、リードアウト領域が設けられた光記録情報保存媒体に／からデータを記録／再生する記録／再生方法において、
前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する段階と、
前記媒体が含まれているカートリッジに設けられた記録防止ホールの開閉如何、前記記録防止フラグ情報、前記認識不可能な機能に関するアクセス制御データに含まれた前記媒体のフォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記媒体のフォーマット可能如何を表す情報、前記認識可能な機能に関するアクセス制御データに含まれた前記欠陥管理領域または前記データ領域の記録／再生可能如何を表す情報のうち、少なくとも一つ以上に基づいて、前記媒体の再初期化を決定する段階とを含むことを特徴とする記録／再生方法。
【請求項１６】
リードイン領域、データ領域、リードアウト領域が設けられた光記録情報保存媒体に／からデータを記録／再生する記録／再生装置において、
前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する記録／再生部と、
前記再生された記録防止フラグ情報及びアクセス制御データに基づいて、前記媒体を再初期化を決定する制御部とを含むことを特徴とする記録／再生装置。
【請求項１７】
前記認識可能な機能に関するアクセス制御データ及び前記認識不可能な機能に関するアクセス制御データは、認識可能な機能及び認識不可能な機能に共通的に適用される共通情報を含み、
前記共通情報は、前記機能を識別するためのアクセス制御データ識別子と、前記媒体のフォーマット可能如何を表す情報と、前記欠陥管理領域の記録／再生可能如何を表す情報と、前記データ領域の記録／再生可能如何を表す情報のうち、少なくとも一つ以上を含むことを特徴とする請求項１６に記載の記録／再生装置。
【請求項１８】
前記制御部は、
前記媒体が含まれているカートリッジに設けられた記録防止ホールの開閉如何に関する情報にも基づいて、再初期化を決定することを特徴とする請求項１７に記載の記録／再生装置。
【請求項１９】
前記制御部は、
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に優先順位をおいて、前記再初期化を決定することを特徴とする請求項１８に記載の記録／再生装置。
【請求項２０】
前記認識可能な機能に関するアクセス制御データは、前記共通情報以外に前記媒体の再初期化に関する情報をさらに含み、
前記制御部は、
前記再初期化に関する情報にも基づいて、前記再初期化を決定することを特徴とする請求項１８に記載の記録／再生装置。
【請求項２１】
前記制御部は、 
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報、前記認識可能な機能に関するアクセス制御データに含まれた再初期化に関する情報の順序に優先順位をおいて、前記再初期化を決定することを特徴とする請求項２０に記載の記録／再生装置。
【請求項２２】
前記制御部は、
前記媒体を再初期化すると決定した場合に、前記欠陥管理領域に記録されたデータ及び前記データ領域に記録されたファイルシステムデータを削除するように、前記記録／再生部をさらに制御することを特徴とする請求項１６に記載の記録／再生装置。
【請求項２３】
リードイン領域、データ領域、リードアウト領域が設けられた光記録情報保存媒体に／からデータを記録／再生する記録／再生装置において、
前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する記録／再生部と、
前記媒体が含まれているカートリッジに設けられた記録防止ホールの開閉如何、前記記録防止フラグ情報、前記認識不可能な機能に関するアクセス制御データに含まれた前記媒体のフォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記媒体のフォーマット可能如何を表す情報、前記認識可能な機能に関するアクセス制御データに含まれた前記欠陥管理領域または前記データ領域の記録／再生可能如何を表す情報のうち、少なくとも一つ以上に基づいて、前記媒体の再初期化を決定する制御部とを含むことを特徴とする記録／再生装置。
【請求項２４】
リードイン領域、データ領域、リードアウト領域が設けられた光記録情報保存媒体に／からデータを記録／再生する記録／再生装置において、
前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する記録／再生部と、
前記再生された記録防止フラグ情報及びアクセス制御データをホスト装置に伝送するように制御し、前記伝送された情報に基づいて、前記媒体の再初期化を決定するホスト装置の決定結果によって、前記媒体を再初期化する制御部と、を含むことを特徴とする記録／再生装置。
【請求項２５】
リードイン領域、データ領域、リードアウト領域が設けられた光記録情報保存媒体に／からデータを記録／再生する記録／再生装置のホスト装置において、
前記リードイン領域に設けられた、前記データ領域に発生した欠陥を管理するための欠陥管理領域から再生された記録防止フラグと、前記媒体の挿し込まれた記録／再生装置が認識可能な機能に関するアクセス制御データ及び認識不可能な機能に関するアクセス制御データが記録されるアクセス制御領域から再生されたアクセス制御データとを前記記録／再生装置から受信し、前記受信された記録防止フラグ情報及びアクセス制御データに基づいて、前記媒体の再初期化を決定する制御部を含むことを特徴とするホスト装置。
【請求項２６】
前記認識可能な機能に関するアクセス制御データ及び前記認識不可能な機能に関するアクセス制御データは、前記認識可能な機能及び前記認識不可能な機能に関する共通情報を含み、
前記共通情報は、機能を識別するアクセス制御データＩＤ、前記媒体のフォーマット可能如何を表す情報、前記欠陥管理領域の記録／再生可能如何を表す情報、前記データ領域の記録／再生可能如何を表す情報のうち、少なくとも何れか一つを含むことを特徴とする請求項２４に記載の記録／再生装置。
【請求項２７】
前記制御部は、前記媒体を再初期化するか否かを決定する前記ホスト装置であって、前記媒体が含まれたカートリッジに形成された記録防止ホールの開閉如何を表す情報をさらに伝送することを特徴とする請求項２６に記載の記録／再生装置。
【請求項２８】
前記制御部は、
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に優先順位をおいて、前記媒体の再初期化を決定することを特徴とする請求項２７に記載の記録／再生装置。
【請求項２９】
前記認識可能な機能に関する前記アクセス制御データは、前記媒体の再初期化に関する情報をさらに含むことを特徴とする請求項２６に記載の記録／再生装置。
【請求項３０】
前記制御部は、
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報、前記認識可能な機能に関するアクセス制御データに含まれた再初期化に関する情報の順序に優先順位をおいて、前記媒体の再初期化を決定することを特徴とする請求項２９に記載の記録／再生装置。
【請求項３１】
前記ホスト装置は、前記欠陥管理領域に記録されたデータ及び前記データ領域に記録されたファイルシステムデータを除去することによって、前記媒体を再初期化することを特徴とする請求項２６に記載の記録／再生装置。
【請求項３２】
情報保存媒体の再初期化決定方法において、
ドライブシステムに前記情報保存媒体がロードされる段階として、
前記情報保存媒体は、ユーザデータを記録するためのデータ領域、少なくとも記録防止フラグ情報を記録するための欠陥管理領域、前記媒体がロードされる前記ドライブシステムによって認識可能なまたは認識不可能な機能に関するアクセス制御データを記録するためのアクセス制御領域を含むロード段階と、
前記ドライブシステムで、前記欠陥管理領域に記録された前記記録防止フラグ情報及び前記媒体の前記アクセス制御領域に記録された前記アクセス制御データを含む再初期化検証情報を得る段階と、
前記記録防止フラグ情報及び前記アクセス制御データを含む前記再初期化検証情報に基づいて、前記媒体を再初期化するか否かを決定する段階とを含むことを特徴とする方法。
【請求項３３】
前記再初期化検証情報は、前記媒体が前記ドライブシステムにロードされた後、前記媒体が含まれたカートリッジに形成された記録防止ホールの開閉如何を表す情報をさらに含み、
前記媒体の再初期化如何の決定は、前記記録防止ホールの開閉如何を表す情報にさらに基づいてなされることを特徴とする請求項３２に記載の方法。
【請求項３４】
前記認識可能な及び認識不可能な機能に関する前記アクセス制御データは、既存の規格及び新たな規格の全ての機能に関する共通情報を含み、
前記共通情報は、
機能を識別するアクセス制御データＩＤと、
前記媒体のフォーマット可能如何を表す情報と、
前記欠陥管理領域の記録／再生可能如何を表す情報と、
前記データ領域の記録／再生可能如何を表す情報とを含むことを特徴とする請求項３３に記載の方法。
【請求項３５】
前記再初期化検証情報は、
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に得られることを特徴とする請求項３４に記載の方法。
【請求項３６】
前記媒体が再初期化されると決定される時、前記欠陥管理領域に記録されたデータ及び前記データ領域に記録されたファイルシステムデータを除去する段階をさらに含むことを特徴とする請求項３５に記載の方法。
【請求項３７】
前記媒体の再初期化如何の決定は、ホストからの要請によって、前記ドライブシステムで行われることを特徴とする請求項３５に記載の方法。
【請求項３８】
前記媒体が再初期化されると決定される時、前記ドライブシステムは、前記欠陥管理領域に記録されたデータ及び前記データ領域に記録されたファイルシステムデータを除去することを特徴とする請求項３７に記載の方法。
【請求項３９】
前記媒体の再初期化決定は、前記ドライブシステムから伝送された再初期化検証情報の受信によって、前記ドライブシステムに結合されたホストで行われることを特徴とする請求項３５に記載の方法。
【請求項４０】
前記媒体が再初期化されると決定される時、前記ホストは、前記欠陥管理領域に記録されたデータ及び前記データ領域に記録されたファイルシステムデータを除去するために、前記ドライブシステムに再初期化実行命令を伝送することを特徴とする請求項３９に記載の方法。
【請求項４１】
ドライブシステムにおいて、
ユーザデータを記録するためのデータ領域、少なくとも記録防止フラグ情報を記録するための欠陥管理領域、記録可能な及び記録不可能な機能に関するアクセス制御データを記録するためのアクセス制御領域を含む情報保存媒体をロードし、この情報保存媒体のデータを再生するように配列される記録／再生部と、
前記媒体の前記欠陥管理領域に記録された前記記録防止フラグ情報及び前記アクセス制御領域に記録された前記アクセス制御データを含む再初期化検証情報を得、前記再初期化検証情報に基づいて、前記媒体を再初期化するか否かを決定する制御部とを含むことを特徴とするドライブシステム。
【請求項４２】
前記再初期化検証情報は、前記媒体が前記ドライブシステムにロードされた後、前記媒体が含まれたカートリッジに形成された記録防止ホールの開閉如何を表す情報をさらに含み、
前記媒体の再初期化如何の決定は、前記記録防止ホールの開閉如何を表す情報にさらに基づいてなされることを特徴とする請求項４１に記載のドライブシステム。
【請求項４３】
前記認識可能な及び認識不可能な機能に関する前記アクセス制御データは、既存の規格及び新たな規格の全ての機能に関する共通情報を含み、
前記共通情報は、
機能を識別するアクセス制御データＩＤと、
前記媒体のフォーマット可能如何を表す情報と、
前記欠陥管理領域の記録／再生可能如何を表す情報と、
前記データ領域の記録／再生可能如何を表す情報とを含むことを特徴とする請求項４２に記載のドライブシステム。
【請求項４４】
前記制御部は、
前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に提供される再初期化検証情報を得ることを特徴とする請求項４３に記載のドライブシステム。
【請求項４５】
前記媒体が再初期化されると決定される時、前記制御部は、前記欠陥管理領域に記録されたデータ及び前記データ領域に記録されたファイルシステムデータを除去することを特徴とする請求項４４に記載のドライブシステム。
【発明の詳細な説明】
【技術分野】
【０００１】
本発明は光ディスク分野に関わり、さらに具体的には、再記録型ディスクがドライブシステムにローディングされた時、ディスクの再初期化可能如何を判断可能にするための光記録情報保存媒体、記録／再生方法、記録／再生装置及びホスト装置に関する。
【背景技術】
【０００２】
最近、光ディスク技術及び半導体技術の発達により、初期に光ディスクドライブシステム及び光ディスクを含む光システムのための規格が確定された後、新たな機能の追加が頻繁になっており、このような場合に、初期に確定された規格は、アップデートされねばならない。
【０００３】
図１は、従来の技術による問題点を説明するための参考図である。
【０００４】
既存の規格を“ＯＬＤ規格”とし、ＯＬＤ規格に新たな機能が追加されてアップデートされた規格を“ＮＥＷ規格”とした時、ＯＬＤ規格ディスク１２は、ＯＬＤ規格ドライブシステム１１で動作されるように作られ、ＮＥＷ規格ディスク１４は、ＮＥＷ規格ドライブシステム１３で動作されるように作られる。
【０００５】
ＯＬＤ規格及びＮＥＷ規格は、追加された新たな機能のために、記録／再生の互換性を維持することもあり、またはそうでないこともある。二つの規格が記録／再生の互換性をなすということは、ＯＬＤ規格のドライブシステム１１で使われるＯＬＤ規格ディスク１２が、ＮＥＷ規格のドライブシステム１３でも記録／再生が可能であることを表し、また、ＮＥＷ規格のドライブシステム１３で使われるＮＥＷ規格ディスク１４が、ＯＬＤ規格のドライブシステム１１でも記録／再生が可能であることを表す。
【０００６】
このように新たな機能の追加によってＯＬＤ規格とＮＥＷ規格、二つの規格間の相互記録／再生互換性を保証するためには、ＯＬＤ規格のドライブシステム１１に新たな機能が適用されたＮＥＷ規格のディスク１４がローディングされた時、ＯＬＤ規格ドライブシステム１１がその新たな機能に適切に対応する必要性がある。このために、ＯＬＤ規格の制定当時、未来の新たな機能の追加に適切に対応する必要性がある。それだけでなく、このような適切な対応方案は、ＮＥＷ規格で適用可能な一般論でなければならない。その理由は、ＮＥＷ規格に新たな機能を追加して、さらに新たな規格にアップデートされた時にも適用可能でなければならないためである。
【０００７】
結局、このように新たな機能の追加による一連の色々な規格が、相互記録／再生の互換性を有するためには、当初に規格を作る時、新たな機能の追加に対応せねばならない。このために、現在の規格が公知の機能について、ドライブシステムが動作せねばならない規則と、現在の規格が未来に追加される未知の機能について、現在のドライブシステムが動作せねばならない規則とを定立する必要がある。すなわち、現在の規格に新たな機能が追加されて未来の規格が誕生した時、未来の規格のためのドライブシステムは、現在の規格のためのドライブシステムが新たな機能について行わねばならない動作をディスク上に保存すれば、これにより、現在の規格のドライブシステムに新たな機能が追加された未来のディスクがローディングされても、そのディスク上に保存された情報を読出して、その新たな機能についての動作を行える。言い換えれば、未来規格のドライブシステムは、現在規格のドライブシステムが未来の規格に追加された新たな機能自体は知らずとも、その新たな機能が適用されたディスクをどのように運用せねばならないかは知らせることができる。
【０００８】
したがって、現在の規格のドライブシステムに新たな機能が追加された未来のディスクがローディングされる時、現在の規格のドライブシステムに、新たな機能が追加された未来のディスクを再初期化できる方案が要求される。
【発明の開示】
【発明が解決しようとする課題】
【０００９】
本発明が解決しようとする課題は、新たな規格または他の規格のディスクがドライブシステムに入ってもディスクを再初期化可能にして、ディスク間の互換性を増大させうる光記録情報保存媒体、記録／再生方法、記録／再生装置及びホスト装置を提供することである。
【課題を解決するための手段】
【００１０】
前記課題を解決するための本発明の一つの特徴は、光記録情報保存媒体において、前記媒体は、リードイン領域、データ領域、リードアウト領域が設けられ、前記リードイン領域は、前記データ領域に発生した欠陥を管理するための欠陥管理領域と、前記媒体の挿し込まれた記録／再生装置が認識可能な機能に関するアクセス制御データ及び認識不可能な機能に関するアクセス制御データが記録されるアクセス制御領域と、を含み、前記欠陥管理領域に記録された記録防止フラグ情報と、前記アクセス制御領域に記録されたアクセス制御データとが前記媒体の再初期化可能如何の確認のための情報を提供することである。
【００１１】
前記認識可能な機能に関するアクセス制御データ及び前記認識不可能な機能に関するアクセス制御データは、認識可能な機能及び認識不可能な機能に共通的に適用される共通情報を含み、前記共通情報は、前記機能を識別するためのアクセス制御データ識別子と、前記媒体のフォーマット可能如何を表す情報と、前記欠陥管理領域の記録／再生可能如何を表す情報と、前記データ領域の記録／再生可能如何を表す情報とを含むことが望ましい。
【００１２】
前記媒体が含まれたカートリッジに設けられた記録防止ホールの開閉如何は、前記媒体の再初期化可能如何の確認のための情報をさらに提供しうる。
【００１３】
前記再初期化可能如何の確認のための情報の優先順位は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に優先順位が低くなることが望ましい。
【００１４】
前記認識可能な機能に関するアクセス制御データは、前記共通情報以外に前記媒体の再初期化に関する情報をさらに含み、前記再初期化に関する情報は、前記媒体の再初期化可能如何の確認のための情報をさらに提供することが望ましい。
【００１５】
前記再初期化可能如何の確認のための情報の優先順位は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報、前記認識可能な機能に関するアクセス制御データに含まれた再初期化に関する情報の順序に優先順位が低くなることが望ましい。
【００１６】
本発明の他の特徴は、光記録情報保存媒体において、前記媒体は、リードイン領域、データ領域、リードアウト領域が設けられ、前記リードイン領域は、前記データ領域に発生した欠陥を管理するための欠陥管理領域と、前記媒体の挿し込まれた記録／再生装置が認識可能な機能に関するアクセス制御データ及び認識不可能な機能に関するアクセス制御データが記録されるアクセス制御領域とを含み、前記媒体が含まれたカートリッジに設けられた記録防止ホールの開閉如何、前記欠陥管理領域に記録された記録防止フラグ情報、前記認識不可能な機能に関するアクセス制御データに含まれた前記媒体のフォーマット可能如何を表す情報、前記認識不可能な機能に関するアクセス制御データに含まれた前記欠陥管理領域またはデータ領域の記録／再生可能如何を表す情報が前記媒体の再初期化可能如何の確認のための情報を提供することである。
【００１７】
本発明のさらに他の特徴は、リードイン領域、データ領域、リードアウト領域が設けられた光記録情報保存媒体に／からデータを記録／再生する記録／再生方法において、前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する段階と、前記再生された記録防止フラグ情報及びアクセス制御データに基づいて前記媒体を再初期化を決定する段階とを含むことである。
【００１８】
前記再初期化決定段階は、前記媒体が含まれたカートリッジに設けられた記録防止ホールの開閉如何に関する情報にも基づいて再初期化を決定しうる。
【００１９】
前記再初期化決定段階は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に優先順位をおいて、前記再初期化を決定することが望ましい。
【００２０】
前記認識可能な機能に関するアクセス制御データは、前記共通情報以外に前記媒体の再初期化に関する情報をさらに含み、前記再初期化決定段階は、前記再初期化に関する情報にも基づいて前記再初期化を決定することが望ましい。
【００２１】
前記再初期化決定段階は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報、前記認識可能な機能に関するアクセス制御データに含まれた再初期化に関する情報の順序に優先順位をおいて、前記再初期化を決定することが望ましい。
【００２２】
前記媒体を再初期化すると決定した場合に、前記欠陥管理領域に記録されたデータ及び前記データ領域に記録されたファイルシステムデータを削除することによって、前記媒体を再初期化する段階をさらに含むことが望ましい。
【００２３】
本発明のさらに他の特徴は、リードイン領域、データ領域、リードアウト領域が設けられた光記録情報保存媒体に／からデータを記録／再生する記録／再生方法において、前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する段階と、前記媒体が含まれたカートリッジに設けられた記録防止ホールの開閉如何、前記記録防止フラグ情報、前記認識不可能な機能に関するアクセス制御データに含まれた前記媒体のフォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記媒体のフォーマット可能如何を表す情報、前記認識可能な機能に関するアクセス制御データに含まれた前記欠陥管理領域または前記データ領域の記録／再生可能如何を表す情報に基づいて、前記媒体の再初期化を決定する段階とを含むことである。
【００２４】
本発明のさらに他の特徴は、リードイン領域、データ領域、リードアウト領域が設けられた光記録情報保存媒体に／からデータを記録／再生する記録／再生装置において、前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する記録／再生部と、前記再生された記録防止フラグ情報及びアクセス制御データに基づいて、前記媒体を再初期化を決定する制御部とを含むことである。
【００２５】
前記制御部は、前記媒体が含まれたカートリッジに設けられた記録防止ホールの開閉如何に関する情報にも基づいて再初期化を決定することが望ましい。
【００２６】
前記制御部は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報の順序に優先順位をおいて、前記再初期化を決定することが望ましい。
【００２７】
前記認識可能な機能に関するアクセス制御データは、前記共通情報以外に前記媒体の再初期化に関する情報をさらに含み、前記制御部は、前記再初期化に関する情報にも基づいて前記再初期化を決定することが望ましい。
【００２８】
前記制御部は、前記記録防止ホールの開閉如何、前記記録防止フラグ情報、前記認識不可能な機能に関するアクセス制御データに含まれた前記フォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記フォーマット可能如何を表す情報、前記認識可能な機能に関するアクセス制御データに含まれた前記欠陥管理領域または前記データ領域の記録／再生可能如何を表す情報、前記認識可能な機能に関するアクセス制御データに含まれた再初期化に関する情報の順序に優先順位をおいて、前記再初期化を決定することが望ましい。
【００２９】
前記制御部は、前記媒体を再初期化すると決定した場合に、前記欠陥管理領域に記録されたデータ及び前記データ領域に記録されたファイルシステムデータを削除するように前記記録／再生部をさらに制御することが望ましい。
【００３０】
本発明のさらに他の特徴は、リードイン領域、データ領域、リードアウト領域が設けられた光記録情報保存媒体に／からデータを記録／再生する記録／再生装置において、前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する記録／再生部と、前記媒体が含まれたカートリッジに設けられた記録防止ホールの開閉如何、前記記録防止フラグ情報、前記認識不可能な機能に関するアクセス制御データに含まれた前記媒体のフォーマット可能如何を表す情報、前記認識不可能な機能に関するアクセス制御データに含まれた前記欠陥管理領域またはデータ領域の記録／再生可能如何を表す情報、前記認識可能な機能に関するアクセス制御データに含まれた前記媒体のフォーマット可能如何を表す情報、前記認識可能な機能に関するアクセス制御データに含まれた前記欠陥管理領域または前記データ領域の記録／再生可能如何を表す情報に基づいて、前記媒体の再初期化を決定する制御部とを含むことが望ましい。
【００３１】
本発明のさらに他の特徴は、リードイン領域、データ領域、リードアウト領域が設けられた光記録情報保存媒体に／からデータを記録／再生する記録／再生装置において、前記リードイン領域に設けられた、前記データ領域に発生した欠陥を管理するための欠陥管理領域から記録防止フラグを、前記媒体の挿し込まれた記録／再生装置が認識可能な機能に関するアクセス制御データ及び認識不可能な機能に関するアクセス制御データが記録されるアクセス制御領域からアクセス制御データを、それぞれ再生する記録／再生部と、前記再生された記録防止フラグ情報及びアクセス制御データをホスト装置に伝送するように制御し、前記伝送された情報に基づいて、前記媒体の再初期化を決定するホスト装置の決定結果によって、前記媒体を再初期化する制御部と、を含むことである。
【００３２】
本発明のさらに他の特徴は、リードイン領域、データ領域、リードアウト領域が設けられた光記録情報保存媒体に／からデータを記録／再生する記録／再生装置のホスト装置において、前記リードイン領域に設けられた、前記データ領域に発生した欠陥を管理するための欠陥管理領域から再生された記録防止フラグと、前記媒体の挿し込まれた記録／再生装置が認識可能な機能に関するアクセス制御データ及び認識不可能な機能に関するアクセス制御データが記録されるアクセス制御領域から再生されたアクセス制御データとを前記記録／再生装置から受信し、前記受信された記録防止フラグ情報及びアクセス制御データに基づいて、前記媒体の再初期化を決定する制御部と、を含むことである。
【発明の効果】
【００３３】
本発明によれば、認識可能な機能にしろ、認識不能な機能にしろ、全ての機能の共通情報を利用してディスクを再初期化することによって、新たな規格または他の規格のディスクがドライブシステムに入っても、ディスクを再初期化しうる。
【発明を実施するための最良の形態】
【００３４】
以下、添付された図面を参照して、本発明をさらに詳細に説明する。
【００３５】
図２は、本発明が適用されるディスクの構造図である。本発明が適用されるディスク１００は、リードイン領域１１０と、データ領域１２０と、リードアウト領域１３０とが連続的に設けられる。
【００３６】
リードイン領域１１０は、ディスク製造時に所定のデータがあらかじめ記録されて再生専用にのみ使われる、あらかじめ記録された領域１１１と、テスト領域１１２と、アクセス制御領域１１３と、ＤＭＡ（Ｄｅｆｅｃｔ  Ｍａｎａｇｅｍｅｎｔ  Ａｒｅａ）＃２  １１４と、ＤＭＡ＃１  １１５とを含む。テスト領域１１２と、アクセス制御領域１１３と、ＤＭＡ＃２  １１４と、ＤＭＡ＃１  １１５とは、データの記録及び変更が可能な記録可能な領域である。
【００３７】
あらかじめ記録された領域１１１は、ディスク製造時にディスク自体の情報があらかじめ記録される。例えば、ディスクを識別するディスク製造番号のようなディスクＩＤが記録される。
【００３８】
テスト領域１１２は、このディスク１００に最適の記録条件で記録するために記録パワーをテストしうる領域である。
【００３９】
アクセス制御領域１１３は、今後追加される新たな機能について、ドライブシステムの動作を規定した情報を記録するための領域である。アクセス制御領域については、図４を参照して詳細に説明する。
【００４０】
ＤＭＡ＃１  １１５、ＤＭＡ＃２  １１４は、欠陥管理領域であって、ＵＤＡ（Ｕｓｅｒ  Ｄａｔａ  Ａｒｅａ）１２２に発生した欠陥に関する情報を記録するための領域である。これについては、図３を参照して詳細に説明する。
【００４１】
データ領域１２０は、スペア領域＃０  １２１、ＵＤＡ  １２２、スペア領域＃１  １２３を含む。
【００４２】
ＵＤＡ  １２２は、ユーザデータが記録される領域である。
【００４３】
スペア領域＃０  １２１、スペア領域＃１  １２３は、ＵＤＡ  １２２に発生した欠陥ブロックに替わる代替ブロックのために設けられた領域である。
【００４４】
リードアウト領域１３０は、ＤＭＡ＃３  １３１と、ＤＭＡ＃４  １３２とを含む。
【００４５】
図３は、図２に示されたＤＭＡ＃１の細部的な構造図である。ＤＭＡ＃１  １１５は、ディスク定義構造（Ｄｉｓｃ  Ｄｅｆｉｎｉｔｉｏｎ  Ｓｔｒｕｃｔｕｒｅ：ＤＤＳ）３１と、欠陥リスト（ＤｅＦｅｃｔ  Ｌｉｓｔ：ＤＦＬ）３３とを含む。
【００４６】
ＤＤＳ  ３１は、欠陥管理及びディスク管理のための情報を含み、ディスク管理のための情報として記録防止フラグ３２を含む。
【００４７】
記録防止フラグは、ＤＭＡを除外したディスクの記録可能領域について、記録を許容または禁止する情報を提供する。例えば、この記録防止フラグが‘１’と設定されていれば、ＤＭＡを除外したディスク上の全ての記録可能領域の記録を禁止し、‘０’と設定されていれば、ＤＭＡを除外したディスク上の全ての記録可能領域の記録を許容する。ＤＭＡを除外する理由は、記録防止フラグが記録される領域であるＤＭＡに記録された情報自体の変更は可能でなければならないためである。
【００４８】
ＤＦＬ  ３３は、欠陥に関する情報を含んでいるリストである。例えば、ＤＦＬは、ＵＤＡに発生した欠陥ブロックのアドレス情報、この欠陥ブロックに替わる代替ブロックのアドレス情報、欠陥に関する状態情報を含む。
【００４９】
図４は、図２に示されたアクセス制御領域の細部的な構造図である。アクセス制御領域１１３は、アクセス制御データ＃１  ４１０、アクセス制御データ＃２  ４２０、アクセス制御データ＃３  ４３０を含む。
【００５０】
アクセス制御領域１１３は、前述したように、既存の規格と新たな機能が追加された新たな規格とで使用する全ての機能に共通的に適用される共通的な情報テーブルを記録するための領域である。各アクセス制御データが各機能に関する共通情報テーブルを構成する。言い換えれば、アクセス制御データ＃１  ４１０は、“機能１”に関する共通情報テーブルを構成し、アクセス制御データ＃２  ４２０は、“機能２”に関する共通情報テーブルを構成し、アクセス制御データ＃３  ４３０は、“機能３”に関する共通情報テーブルを構成する。ここで、機能１は、ドライブシステムが認識可能な機能であり、機能２と機能３とは、ドライブシステムが認識不可能な機能でありうる。
【００５１】
アクセス制御データ（ＡＣＤ：Ａｃｃｅｓｓ  Ｃｏｎｔｒｏｌ  Ｄａｔａ）＃１  ４１０は、このアクセス制御データを識別するためのＩＤであるＡＣＤ＿ＩＤ  ４１１、フォーマット可能如何を表すフォーマット可能如何情報４１２、ＤＭＡの記録が可能であるか、再生のみが可能であるかを表すＤＭＡ記録／再生可能如何情報４１３、スペア領域の記録が可能であるか、再生のみが可能であるかを表すスペア領域記録／再生可能如何情報４１４、ＵＤＡの記録が可能であるか、再生のみが可能であるかを表すＵＤＡ記録／再生可能如何情報４１５を含む。フォーマット可能如何情報４１２、ＤＭＡ記録／再生可能如何情報４１３、スペア領域記録／再生可能如何情報４１４、ＵＤＡ記録／再生可能如何情報４１５が共通情報テーブルを構成する。
【００５２】
ドライブシステムは、ＡＣＤ＿ＩＤ  ４１１を確認することによって、このアクセス制御データが認識可能な機能に関するものであるか、認識不可能な機能に関するものであるかを判断できる。
【００５３】
また、ドライブシステムは、前記共通情報テーブルに入っているフィールドを確認することによって、ドライブシステムが認識不可能な機能についても最小限の適切な動作を行える。
【００５４】
アクセス制御データ＃２  ４２０も、このアクセス制御データを識別するためのＩＤであるＡＣＤ＿ＩＤ  ４２１を有し、共通情報テーブルとしてフォーマット可能如何情報４２２、ＤＭＡ記録／再生可能如何情報４２３、スペア領域記録／再生可能如何情報４２４、ＵＤＡ記録／再生可能如何情報４２５を含む。
【００５５】
図５は、本発明による記録／再生装置の概略的なブロック図である。記録／再生装置は、記録／再生部２と、制御部１とを含む。
【００５６】
記録／再生部２は、ピックアップを備えて本発明が適用される光記録情報保存媒体のディスク１００に／からデータを記録／再生する。
【００５７】
制御部１は、所定のファイルシステムによって、ディスク１００に／からデータを記録／再生するように記録／再生部２を制御する。特に、本発明による制御部１は、ディスクの再初期化如何を決定し、再初期化を行う。
【００５８】
制御部１は、システム制御器１０と、ホストＩ／Ｆ（ＩｎｔｅｒＦａｃｅ）２０と、ＤＳＰ（Ｄｉｇｉｔａｌ  Ｓｉｇｎａｌ  Ｐｒｏｃｅｓｓｏｒ）３０と、ＲＦＡＭＰ（Ｒａｄｉｏ  Ｆｒｅｑｕｅｎｃｙ  ＡＭＰｌｉｆｉｅｒ）４０と、サーボ５０と、メモリ６０とを備える。
【００５９】
記録時、ホストＩ／Ｆ  ２０は、ホスト３から所定の記録命令を受信し、これをシステム制御器１０に伝送する。システム制御器１０は、このようなホストＩ／Ｆ  ２０から受信された記録命令を行うためにＤＳＰ  ３０とサーボ５０とを制御する。ＤＳＰ  ３０は、ホストＩ／Ｆ  ２０から受けた記録するデータをエラー訂正のためにパリティーのような付加データを添加し、ＥＣＣ（Ｅｒｒｏｒ  Ｃｏｒｒｅｃｔｉｏｎ  Ｃｏｄｉｎｇ）エンコーディングを行って、エラー訂正ブロックであるＥＣＣブロックを生成した後、これを所定の方式で変調する。ＲＦＡＭＰ  ４０は、ＤＳＰ  ３０から出力されたデータをＲＦ信号に変える。ピックアップを備えた記録／再生部２は、ＲＦＡＭＰ  ４０から伝送されたＲＦ信号をディスク１００に記録する。サーボ５０は、システム制御器１０からサーボ制御に必要な命令を入力されて記録／再生部２のピックアップをサーボ制御する。
【００６０】
再生時、ホストＩ／Ｆ  ２０は、ホスト３から再生命令を受ける。システム制御器１０は、再生に必要な初期化を行う。記録／再生部２は、ディスク１００にレーザビームを照射し、ディスク１００から反射されたレーザビームを受光して得られた光信号を出力する。ＲＦＡＭＰ  ４０は、記録／再生部２から出力された光信号をＲＦ信号に変え、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調し、ＥＣＣエラー訂正を経て得られたデータを出力する。一方、サーボ５０は、ＲＦＡＭＰ  ４０から受けたサーボ信号とシステム制御器１０から受けたサーボ制御に必要な命令とを受けて、ピックアップに対するサーボ制御を行う。ホストＩ／Ｆ  ２０は、ＤＳＰ  ３０から受けたデータをホストに送る。システム制御器１０は、再生制御のためにディスク管理情報や欠陥に関する情報をディスクから読出して、欠陥のないデータが記録された位置からデータを読出すようにサーボを制御する。
【００６１】
図１に示された記録／再生装置は、個別的な記録装置、再生装置で具現されるか、または一つの記録及び再生装置で具現されうる。
【００６２】
以下、図６を参照して、本発明による記録／再生装置で行われるディスク再初期化方法の一例の過程を説明する。図６に示された方法は、ドライブシステムでの再初期化如何を決定する。
【００６３】
まず、ドライブシステム、すなわち、本発明による記録／再生装置にディスク１００がローディングされる（６０１）。
【００６４】
次いで、ドライブシステムのシステム制御器１０は、ホスト３からディスク再初期化命令を受信する（６０２）。
【００６５】
それにより、システム制御器１０は、ディスク１００から再初期化可能如何確認の情報が記録されている領域をアクセスするようにサーボ５０を制御し（６０３）、その領域から再初期化可能如何確認の情報を受信してメモリ６０に保存する（６０４）。
【００６６】
次いで、システム制御器１０は、メモリ６０に保存された再初期化可能如何確認の情報を参照して、ディスクの再初期化が可能であるか否かを判断する（６０５）。
【００６７】
システム制御器１０が再初期化可能如何に参照する再初期化可能如何確認の情報のテーブル７００が、図７に示されている。再初期化可能如何確認の情報７０１として、記録防止ホール情報７０２、記録防止フラグ情報７０３、認識可能ＡＣＤのフォーマット可能如何情報７０４、認識可能ＡＣＤのＤＭＡ／ＵＤＡ記録／再生可能如何情報７０５、認識不能ＡＣＤのフォーマット可能如何情報７０６、認識不能ＡＣＤのＤＭＡ／ＵＤＡ記録／再生可能如何情報７０７を含む。
【００６８】
記録防止ホール情報７０２は、前記ディスク１００が含まれたカートリッジ上に作られた記録防止ホールの開閉に関する情報を表す。ディスク１００は、ディスク１００を保護するためにカートリッジに含まれうるが、このようなカートリッジには、ユーザが直接統制可能な記録防止ホールが設けられうる。このような記録防止ホールが開けておれば、ディスク上の記録が禁止され、閉じておれば、ディスク上の記録が可能であることを表す。すなわち、ユーザが、このディスク上の記録を禁止しようとすれば、記録防止ホールを開けてドライブシステムに挿し込めば、ディスク上の記録は禁止され、一方、このディスク上の記録を許容しようとすれば、記録防止ホールを閉じて、ドライブシステムに挿し込めば、ディスク上の記録は許容される。もちろん、ディスクがカートリッジに含まれているか、またはカートリッジがオープン可能なカートリッジである場合には、再初期化可能如何確認の情報には、このような記録防止ホール情報７０２が含まれるだろうが、カートリッジのないディスクである場合には、再初期化可能如何確認の情報には、記録防止ホール情報７０２が含まれていないことは当然である。
【００６９】
記録防止フラグ情報７０３は、前述したように、ディスク１００のリードイン領域１１０に設けられた欠陥管理領域のＤＤＳ  ３１から受信しうる。このような記録防止フラグが記録防止と設定されていれば、ディスクの再初期化は不可能である。
【００７０】
認識可能ＡＣＤのフォーマット可能如何情報７０４、認識可能ＡＣＤのＤＭＡ／ＵＤＡ記録／再生可能如何情報７０５は、前述したように、ディスク１００のリードイン領域１１０のアクセス制御領域１１３のアクセス制御データのうち、ドライブシステムが認識可能な機能に関するアクセス制御データから受信しうる。このようなフォーマット可能如何情報７０４がフォーマット不能と設定されていれば、ディスクの再初期化は不可能である。また、ＤＭＡとＵＤＡのうち、何れか一つでも記録禁止と設定されていれば、再初期化は不可能である。
【００７１】
認識不能ＡＣＤのフォーマット可能如何情報７０６、認識不能ＡＣＤのＤＭＡ／ＵＤＡ記録／再生可能如何情報７０７も同様に、ディスク１００のリードイン領域１１０のアクセス制御領域１１３のアクセス制御データのうち、ドライブシステムが認識不能な機能に関するアクセス制御データから受信しうる。このようなフォーマット可能如何情報７０６がフォーマット不能と設定されていれば、ディスクの再初期化は不可能である。また、ＤＭＡとＵＤＡのうち、何れか一つでも記録禁止と設定されていれば、再初期化は不可能である。
【００７２】
システム制御器１０は、再初期化可能如何確認の情報のテーブル７００に入っている項目をそれぞれ判断して、いずれも記録可能な場合に、ディスクを再初期化を決定できる。前記項目のうち、何れか一つでも記録防止が設定されている場合には、ディスクを再初期化しないと決定する。
【００７３】
システム制御器１０は、判断結果、再初期化が不可能な場合には、ホスト３にエラーメッセージを伝送する（６０６）。
【００７４】
システム制御器１０は、判断結果、再初期化が可能な場合には、ディスクを再初期化する（６０７）。再初期化の具体的な動作は、図９に示されている。
【００７５】
まず、システム制御器１０は、ディスク１００のＤＭＡを削除する（９０１）。すなわち、ＤＭＡ内に記録されたＤＤＳとＤＦＬとをクリアする。ディスクをはじめから使用することになるので、以前使用における欠陥情報は不要であるため、ＤＭＡのデータはクリアされねばならない。但し、以前使用において発見された欠陥については、ディスク使用の便宜のために表示することは可能である。しかし、欠陥管理方法のうち、線形置換による置換結果を表す欠陥情報は、いずれも除去されねばならない。
【００７６】
もちろん、ここで、ＤＭＡのデータをクリアする過程は、再初期化されたＤＭＡ情報をＤＭＡにアップデートしつつ自然的に進められる。再初期化されたＤＭＡ情報は、初期ＤＦＬ情報と、ディスクをはじめから使用するために、そして欠陥管理のためにデータ領域に割当てられたスペア領域の割当て情報及びＵＤＡの開始アドレスと終了アドレスとを含むＤＤＳ情報となる。
【００７７】
次いで、システム制御器１０は、ファイルシステムを削除する（９０２）。ファイルシステムは、ディスクのＵＤＡの所定部分にＵＤＡに記録されたデータの管理のための情報であり、このようなファイルシステム情報も削除されねばならない。もし、この情報が削除されていなければ、アプリケーションは、このディスクを空ディスクとして認識せず、あるデータが記録されたディスクとして認識する可能性があるためである。
【００７８】
図８は、本発明による記録／再生方法の他の例の過程を示すフローチャートである。図８に示された方法では、ディスクの再初期化決定をホスト装置で行うという点が、図６に示された方法と異なる。図８を参照するに、ドライブシステムにディスク１００がローディングされる（８０１）。
【００７９】
ホスト３は、ドライブシステムにディスクの再初期化命令を伝送する（８０２）。
【００８０】
次いで、このような再初期化命令をホストＩ／Ｆ  ２０を通じて受信したシステム制御器１０は、ディスクから再初期化可能如何確認の情報が記録されている領域をアクセスするようにサーボ５０を制御する（８０３）。
【００８１】
次いで、システム制御器１０は、その領域から再初期化可能如何確認の情報を読出すように記録／再生部２を制御し、その再初期化可能如何確認の情報をホスト３に伝送するように制御する（８０４）。
【００８２】
次いで、ホスト３の制御部７０は、ドライブシステムから受信した再初期化可能如何確認の情報をメモリ８０に保存する（８０５）。ここで、メモリに保存される再初期化可能如何確認の情報は、図７に示されたテーブル状と同じである。
【００８３】
次いで、ホストの制御部７０は、再初期化可能如何確認の情報を参照して再初期化が可能であるか否かを判断する（８０６）。このような判断方法は、図６を参照して説明されたように、ドライブシステムが行う判断方法と同様である。
【００８４】
次いで、制御部７０は、再初期化が不可能であると決定すれば、ユーザインターフェースにエラーメッセージを出力する（８０７）。
【００８５】
しかし、再初期化が可能であると決定すれば、制御部７０は、再初期化実行命令をドライブシステムに伝送する（８０８）。
【００８６】
以下、図１０及び図１１を参照して、ディスクの再初期化可能如何確認の方法の具体的なフローを説明する。図１０及び図１１を参照して説明されるディスクの再初期化可能如何確認動作は、ドライブシステムで行われると説明されるが、ホスト装置で行われることもある。
【００８７】
図１０は、本発明による再初期化可能如何の確認方法の一例の過程を表す。
【００８８】
カートリッジを含むか、または含んでいないディスク１００がドライブシステムにローディングされれば、ドライブシステムは、ローディングされたディスクがカートリッジを含むか否かを判別する（１００１）。
【００８９】
ディスクがカートリッジを含む場合には、記録防止ホールが開いているか否かを判断する（１００２）。判断結果、記録防止ホールが開いている場合には、記録が禁止されるように設定されたのであるので、再初期化は禁止される（１０１２）。
【００９０】
判断結果、記録防止ホールが閉じている場合には、ディスクが空ディスクであるか否かを判断する（１００３）。ディスクが使われたディスクであるか、空ディスクであるかは、ディスクのリードイン領域に設けられたＤＭＡに接近して判断しうる。すなわち、ＤＭＡにいかなるデータも記録されていなければ、ドライブシステムは、このディスクを空ディスクとして認識する。これは、全てのディスクは、使用前初期化過程を経ねばならないが、初期化過程時にディスクの初期化情報がリードイン領域のＤＭＡに記録されるためである。すなわち、ディスクの初期化時にディスクのリードイン領域のＤＭＡに初期化情報が入っているｅｍｐｔｙ  ＤＦＬと欠陥発生時に代替のためにデータ領域内の割当てられるスペア領域の割当て情報及びデータ領域の構造情報を含むＤＤＳとが記録されるためである。
【００９１】
空ディスクと認識された場合に、ドライブシステムは、ホストの命令またはドライブ製作者の意図によって、ディスクの初期化を行えば良い（１００４）。
【００９２】
既に使われたディスクと認識された場合に、ドライブシステムは、ディスクのリードイン領域に設けられたＤＭＡに入っているＤＤＳの情報のうち、記録防止フラグ（Ｗｒｉｔｅ  Ｐｒｏｔｅｃｔｉｏｎ  ｆｌａｇ：ＷＰ＿ｆｌａｇ）の設定された値を確認する（１００５）。すなわち、記録防止フラグＷＰ＿ｆｌａｇの値が‘１’と設定されていれば、ＤＭＡを除外したディスクの全ての記録可能領域について、データの記録を禁止していることを表すので、再初期化は禁止される（１０１２）。
【００９３】
記録防止フラグＷＰ＿ｆｌａｇの値が‘０’と設定されていれば、次の段階であるアクセス制御領域に記録されているそれぞれのアクセス制御データのＡＣＤ＿ＩＤを確認し、認識可能な機能についてのアクセス制御データであるか、認識不能な機能についてのアクセス制御データであるかを判断する（１００６）。ＡＣＤ＿ＩＤがドライブシステムが認識可能な値であれば、認識可能な機能に関するものであり、認識不能な値であれば、認識不能な機能に関するものである。
【００９４】
もし、認識不能な機能についてのアクセス制御データを含んでいれば、そのそれぞれの認識不能な機能についてのアクセス制御データの共通情報のうち、フォーマット（Ｆｏｒｍａｔ）フィールドに設定された値から再初期化を許容するか否かを判断する（１００７）。フォーマットフィールドの値が‘１’と設定されていれば、フォーマットが不可能であるということを表すので、再初期化は禁止される（１０１２）。
【００９５】
もし、全ての認識不能なアクセス制御データの共通情報内にあるフォーマットフィールドの設定された値が再初期化を許容すれば、次の段階であるそれぞれの認識不能なアクセス制御データの共通情報内にあるＤＭＡフィールドとＵＤＡフィールドとに設定された値からディスクの再初期化を許容するか否かを判断する（１００８）。ＤＭＡフィールドまたはＵＤＡフィールドのうち、何れか一つの値が‘１’と設定されていれば、記録が禁止されるということを表すので、再初期化は禁止される（１０１２）。
【００９６】
もし、全ての認識不能なアクセス制御データの共通情報内にあるＤＭＡフィールドとＵＤＡフィールドとに設定された値が記録を許容する値と設定されていれば、その次の段階である認識可能アクセス制御データの共通情報内にあるフォーマットフィールドの設定された値を判断し（１００９）、認識可能アクセス制御データの共通情報内にあるＤＭＡフィールド及びＵＤＡフィールドの設定された値から、その再初期化如何を判断する（１０１０）。
【００９７】
認識可能アクセス制御データの共通情報内にあるフォーマットフィールドの設定された値及び認識可能アクセス制御データの共通情報内にあるＤＭＡフィールド及びＵＤＡフィールドの設定された値が、記録を許容する値と設定されていれば、ドライブシステムは、ディスクを再初期化する（１０１１）。
【００９８】
図１１は、本発明による再初期化可能如何の確認方法の他の例の過程を表すフローチャートである。図１０に示された過程と段階１００１から段階１０１０までは同一である。但し、図１１に示された方法は、段階１０１３をさらに含む点が異なる。
【００９９】
すなわち、図１１に示された再初期化可能如何の確認方法の他の例は、認識可能アクセス制御データの共通情報内にあるＤＭＡフィールド及びＵＤＡフィールドの設定された値から、その再初期化如何を判断し（１０１０）、ＤＭＡフィールド及びＵＤＡフィールドの設定された値が記録を許容する値と設定されていれば、ドライブシステムは、認識可能なアクセス制御データの内容のうち、共通情報を除外した残り他の情報に、再初期化に関連した情報があるか否か、そして、情報があったら、その再初期化に関連した情報がディスクの再初期化を許容するように設定されているか否かを判断する（１０１３）。
【０１００】
判断結果、再初期化を許容するように設定されている場合には、再初期化を行い（１０１１）、再初期化を許容するように設定されていない場合には、再初期化を禁止する（１０１２）。
【０１０１】
図１０及び図１１を参照して説明したように、ディスクの再初期化が可能であるか否かを決定する情報項目は、複数個である。すなわち、ドライブシステムの具現によって、再初期化可能如何を決定する情報項目を、図１０及び図１１に例示されたような優先順位をおいてチェックすることもあり、または優先順位なしに何れかを先にチェックするかに関係なくチェックすることもある。
【０１０２】
優先順位をおく場合には、図１０及び図１１に示されたように、カートリッジの記録防止ホール→ＤＤＳ内の記録防止フラグ→認識不能機能についてのアクセス制御データの共通情報→認識可能機能についてのアクセス制御データの共通情報の順に優先することが望ましい。
【０１０３】
すなわち、まず、ディスクカートリッジ上に記録防止ホールがあれば、それが開いているか閉じているかを第一に判断し、記録防止ホールが閉じているか、またはカートリッジを含んでいないディスクとして認識されれば、第二にＤＭＡに記録されたＤＤＳ内に記録防止フラグの設定された値が記録を許容するか否かを判断する。記録防止ホールが記録を許容する場合には、第三にアクセス制御領域に記録されたそれぞれのアクセス制御データのＡＣＤ＿ＩＤから認識不能な機能があるか否かを判断して、認識不能な機能があれば、認識不能な機能それぞれのアクセス制御データの共通情報から再初期化可能如何を判断する。そして、もし、再初期化が可能であれば、第四に認識可能な機能についてのアクセス制御データの共通情報から再初期化可能如何を判断して、再初期化可能如何を決定する。前記認識不能な機能についてのアクセス制御データの共通情報と、認識可能な機能についてのアクセス制御データの共通情報のうちでは、まず、フォーマットフィールド→ＤＭＡフィールド→ＵＤＡフィールドの順に優先順位をおいて判断できる。
【０１０４】
前述したような記録／再生方法は、また、コンピュータ可読記録媒体にコンピュータ可読コードとして具現することが可能である。コンピュータ可読記録媒体は、コンピュータシステムによって読取られるデータが保存される全ての種類の記録装置を含む。コンピュータ可読記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、磁気テープ、フロッピー（登録商標）ディスク、光データ保存装置があり、また、キャリアウェーブ（例えば、インターネットを通じた伝送）状に具現されるものも含む。また、コンピュータ可読記録媒体は、ネットワークに連結されたコンピュータシステムに分散されて、分散方式でコンピュータ可読コードが保存されかつ実行されうる。そして、前記記録／再生方法を具現するための機能的なプログラム、コード及びコードセグメントは、本発明が属する技術分野のプログラマーによって容易に推論されうる。
【０１０５】
以上、本発明について、その望ましい実施例を中心に説明した。当業者は、本発明が、本発明の本質的な特性から逸脱しない範囲で変形された形態で具現されうることが分かる。したがって、開示された実施例は、限定的な観点ではなく、説明的な観点で考慮されねばならない。本発明の範囲は、前述した説明ではなく、特許請求の範囲に表れており、それと同等な範囲内にある全ての差異点は、本発明に含まれていると解釈されねばならない。
【産業上の利用可能性】
【０１０６】
本発明は、光記録情報保存媒体、このような光記録媒体に／からデータを記録／再生する記録／再生装置に関連した技術分野に利用可能である。
【図面の簡単な説明】
【０１０７】
【図１】従来の技術による問題点を説明するための参考図である。
【図２】本発明が適用されるディスクの構造図である。
【図３】図２に示されたＤＭＡ＃１の細部的な構造図である。
【図４】図２に示されたアクセス制御領域の細部的な構造図である。
【図５】本発明による記録／再生装置の概略的なブロック図である。
【図６】本発明による記録／再生方法の一例の過程を示すフローチャートである。
【図７】本発明による再初期化可能如何確認の情報を説明するための図である。
【図８】本発明による記録／再生方法の他の例の過程を示すフローチャートである。
【図９】図６及び図８に示された再初期化方法の過程を示すフローチャートである。
【図１０】本発明による再初期化可能如何の確認方法の一例の過程を示すフローチャートである。
【図１１】本発明による再初期化可能如何の確認方法の他の例の過程を示すフローチャートである。
【符号の説明】
【０１０８】
１００  ディスク
１１０  リードイン領域
１１１  あらかじめ記録した領域
１１２  テスト領域
１１３  アクセス制御領域
１１４  ＤＭＡ＃２
１１５  ＤＭＡ＃１
１２０  データ領域
１２１  スペア領域＃０
１２２  スペアデータ領域
１２３  スペア領域＃１
１３０  リードアウト領域
１３１  ＤＭＡ＃３
１３２  ＤＭＡ＃４
【図１】
2005322392.tif 000003
【図２】
2005322392.tif 000004
【図３】
2005322392.tif 000005
【図４】
2005322392.tif 000006
【図５】
2005322392.tif 000007
【図６】
2005322392.tif 000008
【図７】
2005322392.tif 000009
【図８】
2005322392.tif 000010
【図９】
2005322392.tif 000011
【図１０】
2005322392.tif 000012
【図１１】
2005322392.tif 000013